(57)【特許請求の範囲】
【請求項１】
冷媒と空気との熱交換を行う熱交換器と、
前記熱交換器に送風する第１の送風機および第２の送風機と、
前記冷媒を圧縮する圧縮機を駆動し、パワー素子を備える圧縮機駆動部と、
前記パワー素子を冷却する冷却フィンと、
前記冷却フィンの温度を検出する冷却フィン温度検出部と、
前記冷却フィンの温度を用いて前記第１の送風機および前記第２の送風機の位置を判定する位置判定部と、
外気の温度を検出する気温検出部と、
を備え、
前記位置判定部は、
前記第１の送風機を動作させた後の前記冷却フィンの温度の変化量が閾値より大きい場合、前記第１の送風機は、前記第２の送風機よりも前記冷却フィンに近い場所に位置すると判定し、
前記閾値は、
前記外気の温度を用いて算出される室外機。
【請求項２】
冷媒と空気との熱交換を行う熱交換器と、
前記熱交換器に送風する第１の送風機および第２の送風機と、
前記冷媒を圧縮する圧縮機を駆動し、パワー素子を備える圧縮機駆動部と、
前記パワー素子を冷却する冷却フィンと、
前記熱交換器と接続される冷媒配管の温度を検出する配管温度検出部と、
前記冷媒配管の温度を用いて前記第１の送風機および前記第２の送風機の位置を判定する位置判定部と、
外気の温度を検出する気温検出部と、
を備え、
前記位置判定部は、
前記第１の送風機を動作させた後の前記冷媒配管の温度の変化量が閾値より大きい場合、前記第１の送風機は、前記第２の送風機よりも前記冷媒配管の温度を検出する配管温度検出部に近い場所に位置すると判定し、
前記閾値は、
前記外気の温度を用いて算出される室外機。
【請求項３】
冷媒と空気との熱交換を行う熱交換器と、
前記熱交換器に送風する第３の送風機および第４の送風機と、
前記第３の送風機および前記第４の送風機を駆動し、パワー素子を備える送風機駆動部と、
前記パワー素子を冷却する冷却フィンと、
前記冷却フィンの温度を検出する冷却フィン温度検出部と、
前記冷却フィンの温度を用いて前記第３の送風機および前記第４の送風機の位置を判定する位置判定部と、
吸い込み温度を検出する気温検出部と、
を備え、
前記位置判定部は、
前記第３の送風機を動作させた後の前記冷却フィンの温度の変化量が閾値より大きい場合、前記第３の送風機は、前記第４の送風機よりも前記冷却フィンに近い場所に位置すると判定し、
前記閾値は、
前記吸い込み温度を用いて算出される室内機。
【請求項４】
冷媒と空気との熱交換を行う熱交換器と、
前記熱交換器に送風する第３の送風機および第４の送風機と、
前記第３の送風機および前記第４の送風機を駆動し、パワー素子を備える送風機駆動部と、
前記パワー素子を冷却する冷却フィンと、
前記熱交換器と接続される冷媒配管の温度を検出する配管温度検出部と、
前記冷媒配管の温度を用いて前記第３の送風機および前記第４の送風機の位置を判定する位置判定部と、
吸い込み温度を検出する気温検出部と、
を備え、
前記位置判定部は、
前記第３の送風機を動作させた後の前記冷媒配管の温度の変化量が閾値より大きい場合、前記第３の送風機は、前記第４の送風機よりも前記冷媒配管の温度を検出する配管温度検出部に近い場所に位置すると判定し、
前記閾値は、
前記吸い込み温度を用いて算出される室内機。
【請求項５】
請求項１または２に記載の室外機と、
前記室外機と冷媒配管を介して接続される室内機と、
を備える空気調和機。
【請求項６】
請求項３または４に記載の室内機と、
前記室内機と冷媒配管を介して接続される室外機と、
を備える空気調和機。
【発明の詳細な説明】
【技術分野】
【０００１】
本発明は、２つの送風機を備える室外機、２つの送風機を備える室内機、および空気調和機に関する。
【背景技術】
【０００２】
空気調和機の室外機は送風機を備え、送風機を用いて熱交換器に空気を通過させる。また、送風機によって発生する空気流は冷却フィンの温度を低下させるためにも用いられる。冷却フィンは、圧縮機駆動基板に備わる電力用の半導体素子であるパワー素子を冷却する。室外機は、複数の送風機を有する場合がある。特許文献１は、上下に送風機を備え、上に配置される送風機の方が下に配置される送風機よりも冷却フィンを冷却させる効率が高い室外機を開示する。また、特許文献１に記載の室外機は、冷却フィンの温度に応じて送風機の回転数の比率をそれぞれ個別に制御することで、効率的に冷却フィンを冷却する。
【先行技術文献】
【特許文献】
【０００３】
【特許文献１】特開２０１３−２４５３７号公報
【発明の概要】
【発明が解決しようとする課題】
【０００４】
しかしながら、特許文献１に記載の室外機は、上下の送風機が逆に配置される、または送風機と制御基板とを接続するリード線の接続が上下逆に実装されると、送風機の回転数の比率の制御が上下逆になり、圧縮機駆動基板のパワー素子の冷却が十分に行えなくなる。このため、パワー素子の発熱を抑制できず空気調和機の空調能力の低下を招くという問題があった。【０００５】
本発明は、上記に鑑みてなされたものであって、空気調和機の空調能力の低下を抑制することができる室外機を得ることを目的とする。
【課題を解決するための手段】
【０００６】
上述した課題を解決し、目的を達成するために、本発明にかかる室外機は、冷媒と空気との熱交換を行う熱交換器と、熱交換器に送風する第１の送風機および第２の送風機と、冷媒を圧縮する圧縮機を駆動し、パワー素子を備える圧縮機駆動部と、パワー素子を冷却する冷却フィンと、冷却フィンの温度を検出する冷却フィン温度検出部と、冷却フィンの温度を用いて第１の送風機および第２の送風機の位置を判定する位置判定部と、外気の温度を検出する気温検出部と、を備え、位置判定部は、第１の送風機を動作させた後の冷却フィンの温度の変化量が閾値より大きい場合、第１の送風機は、第２の送風機よりも冷却フィンに近い場所に位置すると判定し、閾値は、外気の温度を用いて算出される。
【発明の効果】
【０００７】
本発明に係る室外機は、空気調和機の空調能力の低下を抑制することができるという効果を奏する。
【図面の簡単な説明】
【０００８】
【図１】実施の形態１にかかる空気調和機の構成を示す図
【図２】実施の形態１にかかる室外機の内部構成を示す図
【図３】実施の形態１にかかる制御回路を示す図
【図４】実施の形態１にかかる送風機位置判定部の動作を示すフローチャート
【図５】実施の形態１にかかる判定温度と外気温度との関係を示す図
【図６】実施の形態１にかかる判定温度と外気温度との関係の別の例を示す図
【図７】実施の形態２にかかる室内機の内部構成を示す図
【発明を実施するための形態】
【０００９】
以下に、本発明の実施の形態に係る室外機、室内機、および空気調和機を図面に基づいて詳細に説明する。なお、この実施の形態によりこの発明が限定されるものではない。
【００１０】
実施の形態１．
図１は、実施の形態１にかかる空気調和機の構成を示す図である。空気調和機１００は、室外機５０と室内機５１とを備える。室外機５０と室内機５１とはガス接続配管５２および液接続配管５３を介して接続される。ガス接続配管５２と液接続配管５３とは合わせて冷媒配管とも呼ぶ。冷媒が冷媒配管に充填され、冷媒配管を介して室外機５０と室内機５１との間を循環することで、空気調和機１００は室内と室外との間で熱交換を行う。
【００１１】
図２は、実施の形態１にかかる室外機５０の内部構成を示す図である。室外機５０は、第１の送風機２と、第２の送風機３と、冷却フィン４と、冷却フィン温度検出部５と、圧縮機６と、制御基板７と、圧縮機駆動基板８と、熱交換器９と、配管温度検出部１０と、気温検出部１１と、送風機位置判定部１２と、を備える。第１の送風機２は、熱交換器９に送風する。第２の送風機３は、第１の送風機２より下に設置され、熱交換器９に送風する。また、第１の送風機２および第２の送風機３は、冷却フィン４に送風する。また、第１の送風機２は、第２の送風機３よりも、冷却フィン４に近い位置に設置される。冷却フィン４は、圧縮機駆動部に備わるパワー素子を冷却する。冷却フィン温度検出部５は、冷却フィン４の温度を検出する。圧縮機６は、冷媒を圧縮する。制御基板７は、送風機位置判定部１２を備える。圧縮機駆動基板８は、圧縮機駆動部を備える。圧縮機駆動部は、圧縮機６を駆動し、パワー素子を備える。熱交換器９は、冷媒と空気との熱交換を行う。配管温度検出部１０は、熱交換器９に接続された冷媒配管の温度を検出する。気温検出部１１は、外気温度サーミスタを備え、外気の温度を検出する。また、気温検出部１１は、熱交換器９の入口部分に設置される。送風機位置判定部１２は、第１の送風機２および第２の送風機３の位置を判定する。送風機位置判定部１２は、位置判定部とも呼ばれる。
【００１２】
室外機５０は、送風機室６０と機械室６１とを備える。送風機室６０の内部には、第１の送風機２、および第２の送風機３が配置される。送風機室６０の外部には気温検出部１１が配置される。機械室６１の内部には、冷却フィン温度検出部５、圧縮機６、制御基板７、圧縮機駆動基板８、配管温度検出部１０、および送風機位置判定部１２が配置される。また、冷却フィン４は、図２に示すように機械室６１から送風機室６０に飛び出すように配置される。第１の送風機２および第２の送風機３は、それぞれがリード線によって制御基板７と接続する。また、第１の送風機２および第２の送風機３には、それぞれが駆動するための電力および駆動信号が制御基板７から供給される。
【００１３】
冷却フィン温度検出部５、配管温度検出部１０、気温検出部１１および送風機位置判定部１２は、各処理を行う電子回路である処理回路により実現される。
【００１４】
本処理回路は、専用のハードウェアであっても、メモリ及びメモリに格納されるプログラムを実行するＣＰＵ（Central  Processing  Unit、中央演算装置）を備える制御回路であってもよい。ここでメモリとは、例えば、ＲＡＭ（Random  Access  Memory）、ＲＯＭ（Read  Only  Memory）、フラッシュメモリなどの、不揮発性または揮発性の半導体メモリ、磁気ディスク、光ディスクなどが該当する。本処理回路がＣＰＵを備える制御回路である場合、この制御回路は例えば、図３に示す構成の制御回路２００となる。
【００１５】
図３に示すように、制御回路２００は、ＣＰＵであるプロセッサ２００ａと、メモリ２００ｂとを備える。図３に示す制御回路２００により実現される場合、プロセッサ２００ａがメモリ２００ｂに記憶された、各処理に対応するプログラムを読みだして実行することにより実現される。また、メモリ２００ｂは、プロセッサ２００ａが実施する各処理における一時メモリとしても使用される。
【００１６】
室外機５０の動作について説明する。室外機５０は、冷媒の温度および冷媒の圧力を送風機の回転数を変化させることで制御する。ここで、回転数とは単位時間あたりの回転回数を示しており、つまりは回転速度を示す。回転数が多いとは回転速度が速いことを示し、回転数が少ないとは回転速度が遅いことを示す。冷媒は圧縮機６によって圧縮される。空気と冷媒との熱交換がより多く必要なときは、室外機５０は、第１の送風機２および第２の送風機３の回転数を多くする。一方、空気と冷媒との熱交換があまり必要ではないときは、室外機５０は、第１の送風機２および第２の送風機３の回転数を少なくする。また、室外機５０は、第２の送風機３を停止し、第１の送風機２のみを動作させることで熱交換量をさらに低減させることができる。第１の送風機２は、圧縮機駆動部のパワー素子に取り付けられた冷却フィン４に送風することでパワー素子の冷却を行う。圧縮機駆動部のパワー素子の温度が高いときは、第１の送風機２の回転数を多くすることで冷却フィン４に送風し、パワー素子を冷却しパワー素子の信頼性を高めている。つまり、第１の送風機２は、冷媒の温度および冷媒の圧力の制御と、圧縮機駆動部のパワー素子の冷却との２つの役割をもっている。
【００１７】
第１の送風機２および第２の送風機３が設置される位置は、製品出荷時には規定の位置に設置されるため問題ないが、第１の送風機２または第２の送風機３の故障、または制御基板７の故障が発生したときに、部品交換等で第１の送風機２の位置と第２の送風機３の位置とが入れ替わってしまう場合がある。第１の送風機２のみで熱交換を行う場合、第１の送風機２の位置と第２の送風機３の位置とが入れ替わった状態で運転されてしまうと、冷却フィン４に送風することができない。このため、パワー素子の冷却が十分に行うことができずパワー素子の熱破壊を招くおそれがある。このため、第１の送風機２および第２の送風機３を正しい位置に設置することが重要となる。実施の形態１にかかる室外機５０は、複数の送風機を備えた場合にパワー素子の冷却に使われる第１の送風機２の位置を判別することが可能となる。
【００１８】
図４は、実施の形態１にかかる送風機位置判定部１２の動作を示すフローチャートである。送風機位置判定部１２は、圧縮機６が運転中から停止中に状態が変化したか検出する（ステップＳ１）。圧縮機６の状態が運転中から停止中に状態が変化したことを検出した場合（ステップＳ１，Ｙｅｓ）、送風機位置判定部１２は、圧縮機６が運転を継続した時間がｔ１以上であるか判定を行う（ステップＳ２）。ｔ１は、圧縮機６の運転の継続によって圧縮機駆動部のパワー素子の温度が十分に上昇し、パワー素子の温度と外気の温度との差が大きくなるために必要な時間である。圧縮機６が運転を継続した時間がｔ１より小さい場合（ステップＳ２，Ｎｏ）、処理はステップＳ１に戻る。圧縮機６が運転を継続した時間がｔ１以上である場合（ステップＳ２，Ｙｅｓ）、送風機位置判定部１２は、気温検出部１１の外気温度サーミスタを用いて外気温度Ｔａを検出する（ステップＳ３）。送風機位置判定部１２は、送風機の位置を判定するための温度を示す判定温度Ａを決定する（ステップＳ４）。判定温度Ａは、圧縮機６がｔ１時間以上運転した後の冷却フィン４の温度から、圧縮機６が運転する前の冷却フィン４の温度を引いた値である。換言すれば、判定温度Ａは、冷却フィン４の温度の変化量である。また、判定温度Ａは、冷却フィン４に送風されているか判定するために用いる閾値である。判定温度Ａは、冷却フィン４の温度を示す冷却フィン温度Ｔｈの変化量と比較される。
【００１９】
ここで、外気温度Ｔａおよび判定温度Ａについて説明する。図５は、実施の形態１にかかる判定温度と外気温度との関係を示す図である。図５において縦軸は、判定温度Ａを示す。横軸は、外気温度Ｔａを示す。図２が示すように、第１の送風機２は外気を取り入れて冷却フィン４を冷却するため、外気温度Ｔａが高くなるにつれて、冷却フィン４の冷却機能は低下する。このため、外気温度Ｔａが高くなるにつれて、冷却フィン４の温度の変化量は小さくなる。つまり、外気温度Ｔａが高い場合の判定温度Ａは、外気温度Ｔａが低い場合の判定温度Ａと比べて低い値となる。
【００２０】
送風機位置判定部１２は、第１の送風機２を動作させ、冷却フィン温度Ｔｈを検出する（ステップＳ５）。送風機位置判定部１２は、冷却フィン温度Ｔｈの変化量が判定温度Ａよりも大きいか判定する（ステップＳ６）。冷却フィン温度Ｔｈの変化量が判定温度Ａよりも大きい場合（ステップＳ６，Ｙｅｓ）、送風機位置判定部１２は、第１の送風機２が第２の送風機３より上に設置されている送風機、つまり第２の送風機３よりも冷却フィン４に近い場所に位置する送風機であると判定し、第２の送風機３が、第１の送風機２より下に設置されている送風機であると判定する（ステップＳ７）。冷却フィン温度Ｔｈの変化量が判定温度Ａ以下である場合（ステップＳ６，Ｎｏ）、送風機位置判定部１２は、第２の送風機３が第１の送風機２より上に設置されている送風機、つまり第１の送風機２よりも冷却フィン４に近い場所に位置する送風機であると判定し、第１の送風機２が第２の送風機３より下に設置されている送風機であると判定する（ステップＳ８）。
【００２１】
圧縮機６が一定時間継続運転を行った後に停止した場合、圧縮機駆動部のパワー素子は運転時に発生した損失によって自己発熱し、外気温度よりも高い温度となる。このときにパワー素子の冷却フィン４側に設置された送風機を動作させると冷却フィン４に送風されてパワー素子が冷却される。外気温度Ｔａが低いほど冷却フィン温度Ｔｈが低下する傾きは大きくなり、外気温度が高いほど冷却フィン温度Ｔｈが低下する傾きは小さくなる。一方でパワー素子の冷却フィン４が無い場所に設置された送風機を動作させても、冷却フィン４に送風されないため冷却フィン４の温度はほとんど低下しない。送風機位置判定部１２は、この温度変化の差異を利用することで第１の送風機２および第２の送風機３の位置判別を行う。
【００２２】
ステップＳ３においては、送風機位置判定部１２は、冷却フィン４の温度の代わりに、液接続配管５３の温度を用いて判定を行っても良い。液接続配管５３の温度は、第１の送風機２を動作させると外気の温度に近づく。液接続配管５３の温度は、配管温度検出部１０によって検出される。この場合、判定温度Ａは圧縮機６がｔ１時間以上運転した後の液接続配管５３の温度から、圧縮機６が運転する前の液接続配管５３の温度を引いた値である。換言すれば、判定温度Ａは、液接続配管５３の温度の変化量である。送風機位置判定部１２が液接続配管５３の温度を用いて判定を行う場合、外気温度Ｔａと判定温度Ａとの関係は、空気調和機１００の空調の設定によって異なる。空気調和機１００の空調の設定が暖房である場合、液接続配管５３の温度は外気よりも低温になる。このため、外気温度Ｔａと判定温度Ａとの関係は、図５に示す負の比例の関係となる。
【００２３】
図６は、実施の形態１にかかる判定温度と外気温度との関係の別の例を示す図である。空気調和機１００の空調の設定が冷房である場合、液接続配管５３の温度は外気よりも高温になる。このため、外気温度Ｔａと判定温度Ａとの関係は、図６に示す正の比例の関係となる。また、液接続配管５３の温度を用いて判定を行う場合、ｔ１は圧縮機６の運転の継続によって液接続配管５３の温度が十分に変化し、液接続配管５３の温度と外気の温度との差が大きくなるために必要な時間である。
【００２４】
また、冷却フィン４は、送風機室６０側に飛び出すように配置されていなくても良く、送風機室６０側に設置されたいずれかの送風機によって機械室６１側からダクトを通じて引き込まれた空気で冷却フィン４を冷却するような構成であってもよい。また、圧縮機６の出力周波数が低い場合、図５および図６に示される外気温度と判定温度Ａとのグラフの特性を満たせない場合があるため、圧縮機６が周波数ｆ以上で運転している場合に判定するとしてもよい。周波数ｆは、例えば、図５および図６のグラフの特性が成り立つ範囲の圧縮機６の周波数の下限が挙げられる。なお、周波数ｆは、図５および図６のグラフの特性が成り立つ圧縮機６の周波数に基づいて決定されればよく、上記下限より高い値とするなど上記下限に限定されない。
【００２５】
第１の送風機２の位置と第２の送風機３の位置とを決める方法として、それぞれの送風機と制御基板７とが接続するコネクタの形状をそれぞれ区別する方法、またはそれぞれの送風機の取り付け構造を区別する方法がある。しかし、それぞれの仕様が分かれて共通化できないため区別化に伴うコストアップ、および区別化に伴う部品管理の複雑化を招いてしまう。一方、実施の形態１にかかる室外機５０の送風機位置判定部１２では、第１の送風機２の仕様および第２の送風機３の仕様を共通化することができるためコスト低減および部品管理の簡略化が可能となる。
【００２６】
以上説明したように、本実施の形態にかかる室外機５０は、送風機位置判定部１２によって冷却フィン４に送風する第１の送風機２の位置を定期的に判定することが可能である。このため、送風機の交換が行われて、第１の送風機２の位置と第２の送風機３の位置とが逆転してしまった場合でも、送風機位置判定部１２が送風機の位置を判別し、第１の送風機２および第２の送風機３の制御を入れ替えることができる。また、第１の送風機２および第２の送風機３をそれぞれ個別に制御する場合でも、送風機位置判定部１２が制御を入れ替えることでパワー素子を冷却することが可能となり、圧縮機駆動部のパワー素子の信頼性の低下を防止することができる。このため、空気調和機１００の空調能力の低下を抑制することができる。
【００２７】
実施の形態２．
実施の形態２にかかる空気調和機の室内機における送風機の位置判別の動作について説明する。なお、実施の形態１と同一の機能を有する構成要素は、実施の形態１と同一の符号を付して重複する説明を省略する。
【００２８】
図７は、実施の形態２にかかる室内機の内部構成を示す図である。室内機５１ａは、室外機５０の構成と比べて、第１の送風機２に代えて第３の送風機２１を、第２の送風機３に代えて、第４の送風機２２を備える点が異なる。また、室内機５１ａは、圧縮機駆動基板８に代えて送風機駆動基板２３を備える。送風機駆動基板２３は、送風機駆動部を備える。送風機駆動部は、第３の送風機２１および第４の送風機２２を駆動し、パワー素子を備える。また、室内機５１ａは、圧縮機６を備えない。第１の送風機２、第２の送風機３、圧縮機駆動基板８、および圧縮機６以外の機能部は、室外機５０と同様に備えられる。第３の送風機２１は、熱交換器９に送風する。冷却フィン４は、送風機駆動部が備えるパワー素子を冷却する。第４の送風機２２は、第３の送風機２１より左に設置され、熱交換器９に送風する。また、第３の送風機２１および第４の送風機２２は、冷却フィン４に送風する。気温検出部１１は、室内機５１ａが吸い込む空気の温度を検出する。
【００２９】
実施の形態２における送風機の位置判別動作は、実施の形態１では送風機の位置の判別に外気温度を用いていたが、実施の形態２では外気温度に代えて室内機５１ａが吸い込む空気の吸い込み温度を用いる。判定温度Ａと室内機５１ａが吸い込む空気の温度との関係は、実施の形態１の判定温度Ａと外気温度Ｔａとの関係と同じである。また、判定温度Ａと室内機５１ａが吸い込む空気の温度を比較する以外の位置判別動作に関しては、実施の形態１と同様である。
【００３０】
なお、室内機５１ａの吸い込み温度の代わりに同様の効果が得られる冷媒配管温度で判定を行っても良い。室内機５１ａは、室外機に対して凝縮器と蒸発器とが逆になる。このため、空気調和機１００の空調の設定が冷房である場合、液接続配管５３の温度は外気よりも低温になる。このため、外気温度Ｔａと判定温度Ａとの関係は、図５に示す負の比例の関係となる。空気調和機１００の空調の設定が暖房である場合、液接続配管５３の温度は外気よりも高温になる。このため、外気温度Ｔａと判定温度Ａとの関係は、図６に示す正の比例の関係となる。また、冷却フィン４は、送風機室側に飛び出すように配置されていなくても送風機室側に設置された、いずれかの送風機によって機械室側からダクトを通じて引き込まれた空気で冷却フィン４を冷却するような構成、または電気品を板金で囲い、この板金に直接送風機から送風された空気を当てることで冷却するような構成であってもよい。
【００３１】
以上説明したように、本実施の形態では複数の送風機を備えた空気調和機の室内機５１ａにおいても冷却フィン４に送風するための送風機の位置を定期的に判定することが可能である。このため、室内機５１ａの送風機の交換が行われ、第３の送風機２１と第４の送風機２２の位置が逆転してしまったとしても送風機の位置を判別して制御を入れ替えることができる。また、複数ある送風機を個別に制御する場合でもパワー素子を冷却することが可能となり、送風機駆動部のパワー素子の信頼性低下を防止することができる。このため、空気調和機の空調能力の低下を抑制することができる。
【００３２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３３】
２  第１の送風機、３  第２の送風機、４  冷却フィン、５  冷却フィン温度検出部、６  圧縮機、７  制御基板、８  圧縮機駆動基板、９  熱交換器、１０  配管温度検出部、１１  気温検出部、１２  送風機位置判定部、２１  第３の送風機、２２  第４の送風機、２３  送風機駆動基板、５０  室外機、５１，５１ａ  室内機、５２  ガス接続配管、５３  液接続配管、６０  送風機室、６１  機械室、１００  空気調和機、２００  制御回路、２００ａ  プロセッサ、２００ｂ  メモリ。
【図１】
0006987270.tif 000002
【図２】
0006987270.tif 000003
【図３】
0006987270.tif 000004
【図４】
0006987270.tif 000005
【図５】
0006987270.tif 000006
【図６】
0006987270.tif 000007
【図７】
0006987270.tif 000008